【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
撮像装置を制御可能な通信装置であって、
前記撮像装置により撮像されたライブ画像データを受信する受信手段であって、前記ライブ画像データには、前記ライブ画像データの撮像に関する所定のパラメータの情報が付加されている、受信手段と、
前記受信手段により受信された所定のパラメータの情報に基づく値を、前記撮像装置の所定のパラメータの値の現在値として表示する表示手段と、
前記所定のパラメータの値を変更するための指示を受け付ける指示手段と、
前記受信手段による前記ライブ画像データの受信を制限する制限手段と、
前記制限手段により前記ライブ画像データの受信が制限されている場合、前記所定のパラメータの値を変更するための指示が制限されることをユーザに通知する通知手段と、
を有することを特徴とする通信装置。
【請求項２】
撮像装置を制御可能な通信装置であって、
前記撮像装置により撮像されたライブ画像データを受信する受信手段であって、前記ライブ画像データには、前記ライブ画像データの撮像に関する所定のパラメータの情報が付加されている、受信手段と
前記受信手段により受信された所定のパラメータの情報に基づく値を、前記撮像装置の所定のパラメータの値の現在値として表示する表示手段と、
前記所定のパラメータの値を変更するための指示を受け付ける指示手段と、
前記受信手段による前記ライブ画像データの受信を制限する制限手段と、を有し
前記指示手段により前記所定のパラメータの値を変更するための指示を受け付けた場合は、前記制限手段により前記ライブ画像データの受信が制限されていても、前記受信手段は前記撮像装置により撮像されたライブ画像データの受信を開始することを特徴とする通信装置。
【請求項３】
前記制限手段は、前記撮像装置に対してライブ画像データを要求しないことで、前記ライブ画像データの受信を制限することを特徴とする請求項１または２に記載の通信装置。
【請求項４】
前記制限手段により前記ライブ画像データの受信が制限されている場合、前記受信手段は、前記ライブ画像データに付加されない前記所定のパラメータの情報を受信することを特徴とする請求項１から３のいずれか１項に記載の通信装置。
【請求項５】
前記所定のパラメータは、前記撮像装置のレンズのズーム位置に関することを特徴とする請求項１から４のいずれか１項に記載の通信装置。
【請求項６】
前記所定のパラメータは、前記撮像装置に取り付けられたレンズの合焦に関することを特徴とする請求項１から４のいずれか１項に記載の通信装置。
【請求項７】
前記表示手段は、前記受信手段により受信されたライブ画像データと、前記ライブ画像データに付加された所定のパラメータの情報に基づく値とを、所定の画面に一緒に表示することを特徴とする請求項１から６のいずれか１項に記載の通信装置。
【請求項８】
前記表示手段は、前記受信手段により順次受信されるライブ画像データに基づき、前記所定の画面に表示される前記ライブ画像データと前記所定のパラメータの情報に基づく値とを順次更新することを特徴とする請求項７に記載の通信装置。
【請求項９】
前記受信手段は、前記所定のパラメータとは異なる、前記ライブ画像データの撮像に関する第２のパラメータを、前記ライブ画像データとは別に受信することを特徴とする請求項１から８のいずれか１項に記載の通信装置。
【請求項１０】
前記第２のパラメータは、絞り、シャッタースピード、露出、ホワイトバランス、フラッシュ設定のうち少なくとも１つを含むことを特徴とする請求項９に記載の通信装置。
【請求項１１】
前記通信装置は携帯電話であることを特徴とする請求項１から１０のいずれか１項に記載の通信装置。
【請求項１２】
前記撮像装置のレンズは、前記レンズのズーム機構を駆動するための駆動デバイスを着脱可能であることを特徴とする請求項１から１１のいずれか１項に記載の通信装置。
【請求項１３】
前記受信手段は、前記駆動デバイスの装着状態を示す駆動デバイス情報をさらに受信し、
前記駆動デバイス情報が、前記駆動デバイスが前記撮像装置のレンズに装着されていることを示す場合、前記指示手段による前記所定のパラメータの値を変更するための指示は受け付け可能であり、前記駆動デバイス情報が、前記駆動デバイスが前記撮像装置のレンズに装着されていないことを示す場合、前記指示手段による前記所定のパラメータの値を変更するための指示は受け付けできないことを特徴とする請求項１２に記載の通信装置。
【請求項１４】
撮像装置を制御可能な通信装置の制御方法であって、
前記撮像装置により撮像されたライブ画像データを受信する受信工程であって、前記ライブ画像データには、前記ライブ画像データの撮像に関する所定のパラメータの情報が付加されている、受信工程と、
前記所定のパラメータの情報に基づく値を、前記撮像装置の所定のパラメータの値の現在値として表示する表示工程と、
前記ライブ画像データの受信が制限されている場合、前記所定のパラメータの値を変更するための指示が制限されることをユーザに通知する通知工程と、
を有することを特徴とする制御方法。
【請求項１５】
撮像装置を制御可能な通信装置の制御方法であって、
前記撮像装置により撮像されたライブ画像データを受信する受信工程であって、前記受信されるライブ画像データには、前記ライブ画像データの撮像に関する所定のパラメータの情報が付加されている、受信工程と、
前記所定のパラメータの情報に基づく値を、前記撮像装置の所定のパラメータの値の現在値として表示する表示工程と、を有し、
前記所定のパラメータの値を変更するための指示を受け付けた場合には、前記ライブ画像データの受信が制限されていても、前記受信工程では前記撮像装置により撮像されたライブ画像データの受信を開始する、ことを特徴とする制御方法。
【請求項１６】
コンピュータを、請求項１から１３のいずれか１項に記載の通信装置の各手段として機能させるためのプログラム。
【手続補正２】
【補正対象書類名】明細書
【補正対象項目名】発明の名称
【補正方法】変更
【補正の内容】
【発明の名称】通信装置およびその制御方法
【手続補正３】
【補正対象書類名】明細書
【補正対象項目名】０００１
【補正方法】変更
【補正の内容】
【０００１】
本発明は通信装置およびその制御方法に関する。
【手続補正４】
【補正対象書類名】明細書
【補正対象項目名】０００２
【補正方法】変更
【補正の内容】
【０００２】
デジタルカメラと通信可能な外部機器（通信装置）に無線通信を通じてデジタルカメラのライブビュー画像を表示させ、外部機器からデジタルカメラを用いた遠隔撮影が可能なシステムが知られている（特許文献１）。また、デジタルカメラが非交換式のズームレンズを備える場合に、外部装置から遠隔的にデジタルカメラのズーム操作が可能なシステムも知られている。
【手続補正５】
【補正対象書類名】明細書
【補正対象項目名】０００５
【補正方法】変更
【補正の内容】
【０００５】
しかし、ライブビュー画像の表示（ライブビュー表示）を停止している状態でデジタルカメラ側もしくは外部機器側でズーム操作が行われた場合、外部機器で現在の画角もしくはレンズのズーム位置の確認ができない。特に、外部機器において誤ってズーム操作してしまっても、それを確認できない。その結果、ライブビュー表示の停止中に、実際のズーム位置と外部機器のユーザが想定しているズーム位置とに差異が生じ、例えば想定していた映像が撮影できないといったことが生じうる。
【手続補正６】
【補正対象書類名】明細書
【補正対象項目名】０００６
【補正方法】変更
【補正の内容】
【０００６】
本発明は、撮像装置と通信可能な通信装置およびその制御方法において、撮像装置で撮影された動画像の表示を行わない状態において、撮像装置の実際の状態と通信装置のユーザが想定している状態との差異が生じることを防止可能とすることを１目的とする。
【手続補正７】
【補正対象書類名】明細書
【補正対象項目名】０００７
【補正方法】変更
【補正の内容】
【０００７】
上述の目的は、撮像装置を制御可能な通信装置であって、撮像装置により撮像されたライブ画像データを受信する受信手段であって、ライブ画像データには、ライブ画像データの撮像に関する所定のパラメータの情報が付加されている、受信手段と、受信手段により受信された所定のパラメータの情報に基づく値を、撮像装置の所定のパラメータの値の現在値として表示する表示手段と、所定のパラメータの値を変更するための指示を受け付ける指示手段と、受信手段によるライブ画像データの受信を制限する制限手段と、制限手段によりライブ画像データの受信が制限されている場合、所定のパラメータの値を変更するための指示が制限されることをユーザに通知する通知手段と、
上述の目的は、を有することを特徴とする通信装置によって達成される。
【手続補正８】
【補正対象書類名】明細書
【補正対象項目名】００５６
【補正方法】変更
【補正の内容】
【００５６】
＜携帯電話機の構成＞
次に、図４を参照して、図１の携帯電話機３００の構成例について説明する。携帯電話機３００は、カメラ１００が通信可能な外部装置（通信装置）の一例であり、カメラ１００と通信可能な他の任意の電子機器を携帯電話機３００の代わりに用いることができる。このような通信装置には例えば、無線通信機能を有するデジタルカメラ、メディアプレーヤ、タブレットデバイス、パーソナルコンピュータ、スマートフォン、ゲーム機などが含まれるが、これらに限定されない。
【手続補正９】
【補正対象書類名】明細書
【補正対象項目名】００６８
【補正方法】変更
【補正の内容】
【００６８】
以下、遠隔撮影システムにおいて、携帯電話機３００からカメラ１００を用いた遠隔撮影を実現するための各機器の動作について説明する。
＜デジタルカメラの動作＞
まず、カメラ１００の動作について図５Ａのフローチャートを用いて説明する。図５Ａに示す動作は、携帯電話機３００とカメラ１００の間の通信が確立され、例えば携帯電話機３００のカメラ通信アプリケーションからカメラ１００に遠隔撮影動作の開始が指示された際に開始される。なお、遠隔撮影動作中、カメラ１００はライブビュー画像を定期的に（例えば所定のフレームレートで）生成し、付帯情報とともにライブビューデータとして携帯電話機３００に送信する。カメラ１００は、携帯電話機３００に送信するライブビュー画像を、携帯電話機３００の表示部３０６に適した解像度で生成してもよいし、表示部１１０に表示するものと同じものを送信してもよい。
【手続補正１０】
【補正対象書類名】明細書
【補正対象項目名】００８７
【補正方法】変更
【補正の内容】
【００８７】
Ｓ５２０でカメラ１００は、携帯電話機３００からのズーム制御命令を、交換レンズ１５０を介してズームアダプタ２００に送信する。
Ｓ５２１でカメラ１００は、遠隔撮影の終了指示があったかどうかを判定し、遠隔撮影の終了指示があったと判定されれば、図５Ａに示す処理を終了し、遠隔撮影の終了指示があったと判定されなければ処理をＳ５０１へ戻す。遠隔撮影の終了指示は、カメラ１００の操作部１１５を通じてなされたものでも、携帯電話機３００から受信したものでもよい。
【手続補正１１】
【補正対象書類名】明細書
【補正対象項目名】０１０７
【補正方法】変更
【補正の内容】
【０１０７】
Ｓ６５２でズームアダプタ２００は、カメラ１００から受信しているズーム制御命令が、開始命令かどうか判定し、開始命令と判定されればＳ６５３へ、開始命令と判定されなければ（停止命令であれば）Ｓ６５５へ、処理を進める。
Ｓ６５３でズームアダプタ２００は、メモリ２０３に記憶されているズーム駆動速度の設定値を読み出す。
Ｓ６５４でズームアダプタ２００は、開始命令で指定される方向に、Ｓ６５３で読み出した設定値に従った駆動速度で、ズーム駆動部２０６の駆動を開始し、Ｓ６５７へ処理を進める。
【手続補正１２】
【補正対象書類名】明細書
【補正対象項目名】０１５９
【補正方法】変更
【補正の内容】
【０１５９】
図１１Ｂ（ｃ）は、図１１Ｂ（ｂ）に示したライブビュー表示がオフの状態で、メニューボタン１２０３が押下された際に表示さえるメニューリスト１２３１の例を示す。ライブビュー表示がオフの状態では、ライブビュー表示切り替えボタン１２３１ａはライブビュー表示をオンにするボタンとして表示される。従って、ライブビュー表示切り替えボタン１２３１ａが選択されると、携帯電話機３００はライブビュー表示をオンに切り替え、アプリケーションの画面表示を図１１Ａ（ａ）に示す状態に戻し、また、ズーム制御用ＧＵＩ１２０４の操作を有効にする。これにより、ライブビュー画像領域１２０１にライブビュー画像が継続的に表示されるようになる。
【手続補正１３】
【補正対象書類名】明細書
【補正対象項目名】０１８９
【補正方法】変更
【補正の内容】
【０１８９】
以上説明したように、本実施形態によれば、ズームレンズを装着した撮像装置を遠隔的に操作する通信装置において、ライブビュー表示がオフに設定されている場合には、通信装置からのズーム制御を無効とする。そのため、ライブビュー表示の停止中に、不用意に画角が変更され、実際のズーム位置と通信装置のユーザが想定しているズーム位置との差異が生じることを防止できる。
【手続補正１４】
【補正対象書類名】明細書
【補正対象項目名】０１９０
【補正方法】変更
【補正の内容】
【０１９０】
さらに、撮像装置側の操作によってズーム位置が変更されたことが通知された場合にはズーム位置の情報を取得するようにしたので、ライブビュー表示がオフに設定されていても、通信装置においてズーム位置を正確に把握することができる。そのため、通信装置のユーザは、ライブビュー表示をオフにしてライブビュー画像の通信に係る電力消費を低減しつつ、撮像装置側でズーム位置が変更されも、正確なズーム位置を知ることができる。
【手続補正１５】
【補正対象書類名】明細書
【補正対象項目名】０２０５
【補正方法】変更
【補正の内容】
【０２０５】
（その他の実施形態）
上述の実施形態では、ライブビューデータに含まれる情報の一例としてのズーム位置に関して説明したが、他の情報についてもズーム位置と同様に取り扱うことができる。このような他の情報の例としては、焦点検出領域の位置や大きさ、被写体領域の検出結果、位置及び大きさ、現在の合焦距離などがあるが、これらに限定されない。本発明によれば、ズーム位置のようにカメラ１００側の操作で変更されうる状態や設定に関する情報や、合焦距離のように被写体の経時変化によって変化しうる情報の最新の値を、ライブビュー表示がオフの状態でも通信装置で把握することが可能になる。
【手続補正１６】
【補正対象書類名】図面
【補正対象項目名】図６Ｂ
【補正方法】変更
【補正の内容】
【図６Ｂ】
2017121019.tif 000001